(57)【特許請求の範囲】
【請求項１】
天井側に水平姿勢で設置するハンガレールと、該ハンガレールに走行自在に装填する複数のランナと、前記ハンガレールに対応して床側に水平姿勢で設置するガイドレールと、上端部を前記ハンガレールのランナに取り付けるとともに下端部を前記ガイドレールによって摺接案内する複数のポール部材と、該複数のポール部材間に張設する可撓性のスクリーンシートとを備え、前記ランナを介して複数のポール部材を相互の間隔を狭める向きに走行させることによって前記スクリーンシートを波形に折畳むとともに、複数のポール部材を相互の間隔を広める向きに走行させることによって、前記スクリーンシートを展開するようにして両開きまたは片開きの開閉動作を可能としてなる横引スクリーン装置において、
前記複数のポール部材は、横引スクリーン装置を使用上の外側から観察した場合において波形に折り畳まれた前記スクリーンシートのそれぞれの谷折り部に対応して配置され、
前記スクリーンシートの複数の谷折り部に位置する複数本のポール部材の左右両側には、少なくとも二本に一本の割合によって、該ポール部材を介して連結される左右の前記スクリーンシートに重ね合わせて貼着した状態の弾発性プレートの一端が、前記スクリーンシートとともに取り付けられ、
前記ポール部材の左右両側に取り付けられた前記弾発性プレートは、前記スクリーンシートが展開状態に操作された際に前記ポール部材を支点として前記スクリーンシートに伴って弾性変形して、前記スクリーンシートを折り畳み状態に復帰する向きに付勢されること、を特徴とする
横引スクリーン装置。
【請求項２】
前記弾発性プレートは、該弾発性プレートの支点とされている前記ポール部材に対して、弾性変形することなく揺動することができる遊び揺動範囲を該ポール部材のホルダ溝の開口部に設定して取り付けられていること、を特徴とする
請求項１に記載の横引スクリーン装置。
【請求項３】
前記弾発性プレートは、前記ポール部材に沿って前記スクリーンシートの上下長さ方向に分散配置されていること、を特徴とする
請求項１または請求項２に記載の横引スクリーン装置。
【請求項４】
前記複数のポール部材のうちの横引スクリーン装置の開閉部分に配設するポール部材は、締切り状態を維持する上ラッチ機構と下ラッチ機構とを備え、
前記上ラッチ機構は、前記ハンガレールに固定するストッパ金具とポール部材の上端部に圧縮ばねを介して出没自在に装填するラッチ金具とからなるとともに、前記下ラッチ機構は、ガイドレールに固定するストッパ金具とポール部材の下端部に手動操作によって出没自在に装填するラッチ金具とからなり、
前記上ラッチ機構と下ラッチ機構とは、ポール部材を締切り位置に移動させる操作にともなう前記ラッチ金具の後退動作と進出動作とによってラッチ金具がストッパ金具を乗り越えてロックされるとともに、前記上ラッチ機構は、手動操作によって下ラッチ機構のラッチ金具を後退させてアンロックした際に、前記スクリーンシートに重着した弾発性プレートの弾性回復力によってポール部材の下端側が開方向に移動して傾斜姿勢となることによって自動的にアンロックされること、を特徴とする
請求項１ないし請求項３のいずれか１項に記載の横引スクリーン装置。
【発明の詳細な説明】
【技術分野】
【０００１】
本発明は、可撓性のスクリーンシートをジグザグに折畳む操作と、平面状に展開する操作とによって開閉動作を実現するようにした横引スクリーン装置であって、特に、展開状態におけるスクリーンシートに一定の緊張力を付与するものに関する。
【背景技術】
【０００２】
大型小売り店舗等の出入り口の開閉用途や、閉店時間中における出入り口およびガラス面や壁面の保護用途には、シャッタ機構やスクリーン機構が利用されている。例えば、
【特許文献１】実開平５−１７０８６号公報
【特許文献２】特開２００３−１３８８６１号公報
【特許文献３】特開２００３−２３９６５５号公報
【特許文献４】特開２００４−１０７８８６号公報
【特許文献５】特開２００７−１５４４２５号公報
【０００３】
シャッタ機構は、ボックス断面または単板状のパネル部材を水平姿勢にして上下方向に多数枚屈曲自在に連結し、パネル部材の左右に配設するガイドレールに沿って連結状態のパネル部材を上昇または下降させることによって開閉動作を実現するものである（特許文献１，２参照）。
【０００４】
また、スクリーン機構は、可撓性のシート部材または上下方向の多数のパネル部材を水平方向に屈曲自在に連結したものを天井側のハンガレールから水平移動自在に吊設し、これをハンガレールの一端側に引き寄せ、またはハンガレールの長手方向に引き広げるように展開することによって開閉動作を実現するものである（特許文献３，４，５参照）。
【発明の開示】
【発明が解決しようとする課題】
【０００５】
上記シャッタ機構は、商用建物の出入り口等の比較的間口幅の小さい部分に多用されている機構である。このシャッタ機構には、連結された状態のパネルの位置決めが左右両端部のガイドレールにのみ依存し、中間部分を支持することができないため、一定幅以上の間口部には適用することが困難であるという問題がある。ただし、一定幅を超える間口に対しては、シャッタ機構を複数基併設することによって対応することは可能ではあるが、この場合には、中間位置にもガイドレールを設置する必要があり、開閉時において煩雑な中間のガイドレールの取付けおよび取外しの作業を余儀なくされることとなる。
【０００６】
また、上記シャッタ機構においては、開閉動作を連結した状態のパネルの上昇または下降動作によって行うものであるため、天井側に、連結した状態のパネルの引き上げ機構または巻取り機構およびパネルの収納スペースを設ける必要があるため、既存の建物への取り付け作業内容が困難または非常に煩雑なものとなるという問題もある。
【０００７】
一方、スクリーン機構は、それぞれ上端部と下端部を天井側のハンガレールと床面側のガイドレールとによって横移動可能に支持する多数のポール部材間に可撓性のスクリーンシートを折畳み可能に張設してなる、いわば大規模のカーテンのような構造であるため、設置可能な間口幅には実質的な制約はなく、既設の建物に対しても簡単に取り付けすることができる。また、スクリーンやパネルの重量が天井側に配設するハンガレールの長手方向について分散して負荷される構造であるので、大規模なものであっても手動によって簡単に開閉操作をすることができるという利点を有する。
【０００８】
しかし、その反面において、（１）スクリーン機構においては、風圧に弱く、僅かの風を受けた場合にも大きな揺れやバタつきが発生するとともに、（２）大きな間口に採用されるものにおいては、開放時におけるスクリーンシートの折畳み姿が不規則または乱雑になりがちであるという問題が指摘されている。（３）また、スクリーン機構を開操作する際には、操作している近傍のスクリーンシートの一部分のみが極端な高密度に折り畳まれてしまい、スクリーンシートの開操作が円滑に実行できなくなるという問題も指摘されている。
【０００９】
上記問題を検討するに、（１）のスクリーン機構が風に弱い問題は、スクリーンシートの素材として通常、非通気性の連続材料が使用されること、および、スクリーンシートの上下方向については、スクリーンシート自体の自重による最低限の緊張力が加わるものの、スクリーンシートの左右方向については、まったく緊張力が加わらない構造であるので、根本的に風圧の影響を強く受ける構造であることによる。また、（２）のスクリーンシートの折畳み姿の不具合の問題は、スクリーン機構を開操作する際の操作力がスクリーンシートに吸収されてしまい、スクリーン機構の一端側から他端側にまで均等に伝わらないからである。（３）のスクリーンシートの開操作が円滑を欠く問題は、部分的に高密度に折り畳まれたスクリーンシートに対応する部分を支持しているランナ相互が過度に接近し、ハンガレール内において互いに干渉することによるのである。
【００１０】
なお、上記特許文献３に示す提案は、本願の出願人自身の先案であるが、この先案においてもこれらの問題が実感されていた。この先案では、上記（１）の問題に対しては、スクリーンシートを張った状態にしても、弛みが残存すること、（２）の問題に対して、スクリーンシート（遮断幕）に予め明確な折り目を付与することで、折畳み姿の改善を図っていたが、折畳み姿自体は端正なものとなったが、折畳み密度が部分的に偏るという問題が増幅される結果となった。また、上記（３）の問題に対しては、ポール部材の間隔を広くして対応するためにスクリーンシートを外側から見た場合の２山折りごとにポール部材を配置する構成としたが、風圧に弱いという（１）の問題が増幅されることとなった。なお、この先案では、スクリーンシートの折畳み山がスクリーン機構の使用上の外側にのみ突出するように構成することによって、保護対象である建物の壁面等に近接して設置可能としている点は、極めて効果的であった。
【００１１】
本発明は、上記可撓性のスクリーンシートを用いるスクリーン機構における問題点に鑑み、建物の壁面等に近接して設置可能であることを前提とし、風圧によるスクリーンシートの揺れやバタつきを最低限に抑え込むとともに、開操作が円滑であって、しかも、開放時におけるスクリーンシートの折畳み姿を規則正しい端正なものとすることができる横引スクリーン装置を提供することを目的とする。
【課題を解決するための手段】
【００１２】
この目的を達成するための手段として本発明は、次のような構成を採用する。
【００１３】
本発明の請求項１に記載の横引スクリーン装置は、天井側に水平姿勢で設置するハンガレールと、ハンガレールに走行自在に装填する複数のランナと、ハンガレールに対応して床側に水平姿勢で設置するガイドレールと、上端部をハンガレールのランナに取り付けるとともに下端部をガイドレールによって摺接案内する複数のポール部材と、複数のポール部材間に張設する可撓性のスクリーンシートとを備え、ランナを介して複数のポール部材を相互の間隔を狭める向きに走行させることによってスクリーンシートを波形に折畳むとともに、複数のポール部材を相互の間隔を広める向きに走行させることによって、スクリーンシートを展開するようにして両開きまたは片開きの開閉動作を可能としてなる横引スクリーン装置において、複数のポール部材は、横引スクリーン装置を使用上の外側から観察した場合において波形に折り畳まれたスクリーンシートのそれぞれの谷折り部に対応して配置され、このスクリーンシートの複数の谷折り部に位置する複数本のポール部材の両側左右には、少なくとも二本に一本の割合によって、そのポール部材を介して連結される左右のスクリーンシートに重ね合わせて重着した状態の弾発性プレートの一端が、そのスクリーンシートとともに取り付けられ、ポール部材の左右両側に取り付けられた弾発性プレートは、スクリーンシートが展開状態に操作された際にポール部材を支点としてスクリーンシートに伴って弾性変形することによってスクリーンシートを折畳み状態に復帰する向きに付勢されることを特徴とする。
【００１４】
上記構成にかかる横引スクリーン装置における複数のポール部材は、波形に折り畳まれたスクリーンシートのそれぞれの谷折り部に、対応して配置されている。すなわち、全ての谷折り部がポール部材に連結されているため、風圧に押されて谷折り部が展開し、スクリーンシート全体が大きく揺れたりバタつく現象が阻止される。また、ポール部材が、横引スクリーン装置を使用上の外側から観察した場合におけるスクリーンシートの谷折り部に位置する結果、スクリーンシートを折り畳んだ際の山折り部は、必然的に保護対象である建物の壁面等の外側に向かって突出する形態で形成されることとなるので、横引スクリーン装置を建物の壁面等に近接して設置することができる。また、上記構成による横引スクリーン装置は、通常の横引スクリーン装置と同様に、複数のポール部材をハンガレールに沿って横移動させることによってスクリーンシートを波形に折り畳み、または、折畳み状態のものを平面状に展開する簡単な操作によって開閉操作をすることができる。上記横引スクリーン装置のスクリーンシートには、折畳まれたスクリーンシートの谷折り部２箇所につき１箇所の割合で、左右一対の弾発性プレートが重着している。なお、横引スクリーン装置の幅方向の端部においては、スクリーンシートの谷折り部は、ポール部材の右側、または、左側に半分のみ形成されるので、この部分に対応する弾発性プレートは、ポール部材の右側または左側に配置される１枚のみとなるが、割合として同じである。スクリーンシートに重着した弾発性プレートは、スクリーンシートに伴って変形する。この弾発性プレートは、その谷折り部に配置されるポール部材を支点として取り付けられており、スクリーンシートが展開状態に操作された際に、スクリーンシートとともに変形することによってスクリーンシートを折畳み状態に復帰する向きに付勢される。すなわち、展開状態のスクリーンシートには、横引スクリーン装置の全幅に亘って弾発性プレートによる緊張力が負荷されるのであり、均一で端正な展開状態が実現される。また、スクリーンシートを折畳む際には、スクリーンシートの幅方向に散在する弾発性プレートによって、スクリーンシートは、複数箇所で同時に均等に折畳まれることとなるので、ランナが互いに干渉する余地がなく、極めて軽い操作力によって円滑かつ端正に折畳まれる。
【００１５】
本発明の請求項２に記載の横引スクリーン装置は、弾発性プレートが、その支点とされているポール部材に対して、弾性変形することなく揺動することができる遊び揺動範囲をそのポール部材のホルダ溝の開口部に設定して取り付けられていることを特徴とする。
【００１６】
上記構成による横引スクリーン装置における弾発性プレートは、遊び揺動範囲においては、スクリーンシートを折畳み状態に付勢するばねとして機能しない。したがって、折畳み状態のスクリーンシートを展開する閉操作開始時の所要操作力を軽減することができるとともに、長期間の反復使用における弾発性プレートの屈曲疲労を抑え、耐用期間を延長することができる。
【００１７】
本発明の請求項３に記載の横引スクリーン装置は、弾発性プレートポール部材に沿ってスクリーンシートの上下長さ方向に分散配置されていることを特徴とする。
【００１８】
上記構成による横引スクリーン装置は、天井から床までの距離が大きく、したがって、スクリーンシートの上下長さが長くなる場合においても、上下方向に分散配置した弾発性プレートが協働動作をすることにより、スクリーンシートの上下いずれかの部分のみに張力が偏在することによる、スクリーンシートの引きつりの発生や傾くような不具合の発生を防止することができる。
【００１９】
本発明の請求項４に記載の横引スクリーン装置は、複数のポール部材のうちの横引スクリーン装置の開閉部分に配設するポール部材が、締切り状態を維持する上ラッチ機構と下ラッチ機構とを備え、このうちの上ラッチ機構は、ハンガレールに固定するストッパ金具とポール部材の上端部に圧縮ばねを介して出没自在に装填するラッチ金具とからなるとともに、下ラッチ機構は、ガイドレールに固定するストッパ金具とポール部材の下端部に手動操作によって出没自在に装填するラッチ金具とからなり、上ラッチ機構と下ラッチ機構とは、ポール部材を締切り位置に移動させる操作にともなうラッチ金具の後退動作と進出動作とによって、ラッチ金具がストッパ金具を乗り越えてロックされるとともに、上ラッチ機構は、手動操作によって下ラッチ機構のラッチ金具を後退させ、その下ラッチ機構とラッチ金具とがアンロックした際に、スクリーンシートに重着した弾発性プレートの弾性回復力によってポール部材の下端側が開方向に移動して、傾斜姿勢となることによって上ラッチ機構とラッチ金具とが自動的にアンロックされることを特徴とする。
【００２０】
上記構成による横引スクリーン装置においては、閉操作終了によるスクリーンシートの展開状態は、開閉部分のポール部材に取り付けられる上ラッチ機構と下ラッチ機構とによって維持することができる。そして閉状態（展開状態）のスクリーンシートは、手動操作によって下ラッチ機構をアンロックすることによって自動的に折畳まれる。すなわち、下ラッチ機構をアンロックすると、弾発性プレートの張力によって折畳み状態に復帰しようとしているスクリーンシートの床側が開方向に引かれるため、ポール部材が傾斜する。この時点では、天井側の弾発性プレートの張力が相対的に床側より強くなる。次いで、ポール部材が傾斜姿勢となることにより、上ラッチ機構がアンロックされる。すると、張力が強く加わっているスクリーンシートの天井側がより強く引かれ、傾斜していたポール部材は、直立姿勢に復帰しながらハンガレールに沿って開方向に自走するのである。
【発明の効果】
【００２１】
本発明の横引スクリーン装置は、スクリーンシートを外側から観察した場合の谷折り部ごとにポール部材が配置されているとともに、スクリーンシートの複数箇所に分散して、ポール部材を支点として展開状態のスクリーンシートを折畳み状態に復帰する弾発性プレートを重着することによって、展開状態のスクリーンシートに常時一定の張力を加えておくことができるので、僅かの風によってスクリーンシートが大きく揺動したり、バタついたりする不安定な現象が効果的に抑制されるとともに、スクリーンシートの複数箇所が弾発性プレートによって折り畳まれる方向に付勢されていることによって、開操作に際してスクリーンシートの一部分のみが高密度に折り畳まれて円滑な開操作が阻害されるような不具合も同時に解消されるので、極めて軽い操作力によってスクリーンシート全体を円滑かつ均等密度の端正な折畳み姿に折畳むことができる。
【発明を実施するための最良の形態】
【００２２】
以下、図面を引用しながら本発明の実施の形態を説明する。この際、先ず、横引スクリーン装置の全体構成の概要を説明し、次いで、各部の詳細について説明し、最後に横引スクリーン装置の動作について説明する。
【００２３】
横引スクリーン装置は、設置対象となる任意の建築物の天井側Ｕに設置するハンガレール１０と、床側Ｆに設置するガイドレール２０と、ハンガレール１０内に走行自在に装填するランナ１２，１２…に吊設する複数本のポール部材３０，３０…および４０，４０…と、隣接するポール部材３０，４０…間に張設するスクリーンシート５０を主要部材としてなる（図１，図２）。また、スクリーンシート５０には、部分的に弾発性プレート５２，５２…が重着されている。
【００２４】
ハンガレール１０は、Ｃチャンネル部材であり一定間隔ごとに配置する取付けブラケット１１、１１…を用いて天井面に固定される（図１，図２）。ガイドレール２０は、ガイド溝２２を形成したレール状部材であり、ハンガレール１０に対応する床面に埋設される。ガイドレール２０の側面には、浮上がり防止用の多数の突片２１，２１…が列設されている（図２）。
【００２５】
ポール部材としては、軽合金製押出型材からなるポール部材３０と軽合金製パイプ材からなるポール部材４０とが交互配置にして用いられており、いずれも、上端部をハンガレール１０内のランナ１２，１２…の連結バー１３，１３…に連結することによって直立姿勢で吊設され、下端部は、ガイドレール２０のガイド溝内に及んでいる（図１，図２）。
【００２６】
軽合金製押出型材からなるポール部材３０は、複数のアタッチメントの取付けを予定した複雑な多リブ構造に形成され（図４）、建築物の壁面側Ｗの片開きの開閉部Ａおよび両開きの開閉部Ｂに配設されるポール部材３０，３０…には（図１）、それぞれ、一方の側面部にクッションゴム３１，３１…が付属し、反対側の側面部には、横引スクリーン装置の使用上の外側ＯＳに向かって開口するホルダ溝ＵＭがポール部材３０の長手方向に連続して形成されている（図４，図７）。ポール部材３０，３０…は、さらに上端部と下端部に上ラッチ機構６０および下ラッチ機構７０を備えている（図３）。
【００２７】
一方、開閉部Ａ，Ｂ以外の位置に配置されるポール部材３０，３０…は、左右対称の断面形状であり、左右の側面部にそれぞれホルダ溝ＵＭを備えている（図７（Ｂ））。ホルダ溝ＵＭの開口部は、拘束リブ３４によって狭められた断面形状とされ、拘束リブ３４に隣接して付勢リブ３５が突設されている（図４）。また、開口部を挟む反対側には、折畳んだ際のスクリーンシート５０の姿勢を規制する規制面３６が形成されている。
【００２８】
本実施の形態におけるスクリーンシート５０は、帆布製であるが、横引スクリーン装置の設置箇所や設置対象建築物の種類に応じて、塩化ビニルシートやネット地シート、その他の可撓性シート材料を使用することができる。
【００２９】
スクリーンシート５０の上端部分および下端部分には、部分的に２重に形成した折返し形成部５１，５１が設けられている（図２，図３）。折返し形成部５１は、全面接着によるものではなく、上下に一定間隔を保つウエルダー部５Ｗ，５Ｗの部分においてのみ縫合手段または接着手段によって帯状に連結され、上下のウエルダー部５Ｗ，５Ｗ間は、袋状になっている（図３）。
【００３０】
スクリーンシート５０は、横引スクリーン装置の幅方向に連続したものが用いられているのではなく、軽合金製パイプ材からなるポール部材４０を挟んで隣接するポール部材３０，３０単位で張設され、弾発性プレート５２，５２…もスクリーンシート５０張設の際に同時に取り付けられる（図７（Ｂ））。
【００３１】
１単位幅のスクリーンシート５０の両端は、それぞれ、弾発性プレート５２を取り付けた端末棒３２を折返し形成したスクリーンシート５０によって表裏から挟み込んだ態様の３重構造になっている。これを組立て順序に沿って説明すると（図４）、弾発性プレート５２の厚み相当のスリットを形成した心材３３に弾発性プレート５２の一端を差し込んで固定し、心材３３を同じくスリットを形成した端末棒３２によって被覆し、端末棒３２を取り付けた状態の弾発性プレート５２全体をスクリーンシート５０の折り返した部分で包み込むようにして加圧接着する要領で組み立てられているのである。
【００３２】
上記のように端末処理されたスクリーンシート５０の両端部は、ポール部材３０の断面部分から端末棒３２をホルダ溝ＵＭ内にスライド挿入することによって各ポール部材３０，３０…に連結される。この際、スクリーンシート５０は、ホルダ溝ＵＭの開口部から外部に導出されることとなる。なお、ポール部材３０の拘束リブ３４は、挿入された端末棒３２を脱出不能に拘束するように機能する。
【００３３】
一方、１単位のスクリーンシート５０の中間部は、パイプ状のポール部材４０，４０は、スクリーンシート５０の一部をΩ記号形に形成し、この内部にパイプ状のポール部材４０を包み込むようにして固定される（図７）。したがって、この部分には、外側ＯＳから観察して谷折り部Ｖが形成される。なお、１単位として扱うスクリーンシート５０の単位幅が狭い場合には、パイプ状のポール部材４０は、省略することが可能である。
【００３４】
スクリーンシート５０に張力が加わらない無負荷状態の弾発性プレート５２，５２…の姿勢は、ホルダ溝ＵＭの開口部の両側に位置する拘束リブ３４と規制面３６とによって規制されることから、拘束リブ３４と規制面３６の開きによって決定される遊び揺動範囲Ｄ３において、常に横引スクリーン装置の使用上の外側ＯＳを向いた姿勢に制御される。したがって、スクリーンシート５０は、ポール部材３０に取り付けられた左右一対の弾発性プレート５２，５２によって、この部分に谷折り部Ｖを形成する（図７（Ｂ））。
【００３５】
本発明の横引スクリーン装置においては、外側ＯＳから観察した場合のスクリーンシート５０の全ての谷折り部Ｖ，Ｖ…に対応してポール部材３０，４０…が配置され、この結果、スクリーンシート５０の全ての山折り部Ｍ，Ｍ…は、横引スクリーン装置の外側ＯＳに突出する向きに形成されるのである。なお、開閉部Ａ，Ｂに配置されるポール部材３０については、片側にしかスクリーンシート５０が連結されないので谷折り部Ｖが完全に形成されないのは当然のことである。
【００３６】
本実施の形態における弾発性プレート５２は、長方形の樹脂板製である（図５）。弾発性プレート５２は、適度な反発力を利用する目的で用いるものであり、材質上の制約はないが、屈曲疲労に対する耐性が大きいＰＰやＰＥ製とすることが好ましい。弾発性プレート５２には、端末棒３２に沿って屈曲動作を容易化するためのＶ字溝５Ｖが刻設されており、弾発性プレート５２は、端末棒３２を固定した状態においてＶ字溝５Ｖを中心として揺動動作をすることができる。
【００３７】
また、弾発性プレート５２，５２…は、スクリーンシート５０の上下長さ全体に及ぶものではなく、スクリーンシート５０の上下の折返し形成部５１，５１に対応して分散配置されている。ただし、反発力の弱い弾発性プレート５２を用いる場合には、２箇所以上、または、スクリーンシート５０の上下全体に及んで設けることもできる。
【００３８】
片開きの開閉部Ａおよび両開きの開閉部Ｂに配設される各ポール部材３０の上ラッチ機構６０は（図１，図３）、天井側Ｕのハンガレール１０に固定するストッパ金具６１と、ポール部材３０の上端部に圧縮ばね６３を介して出没自在に装填するラッチ金具６２とからなる（図３）。圧縮ばね６３は、ラッチ金具６２を常時突出する方向に付勢している。
【００３９】
また、下ラッチ機構７０は、床側Ｆのガイドレール２０に固定するストッパ金具７１とポール部材の下端部に手動操作によって出没自在に装填するラッチ金具７２とからなる。ラッチ金具７２は、ポール部材３０の中間部分に配設する操作ノブ７３に連結されており（図４）、操作ノブ７２を上下方向に手動操作することにより進出または後退動作をする。下ラッチ機構７０のラッチ金具７２は、自重によって常時突出する方向に付勢されている。
【００４０】
上ラッチ機構６０および下ラッチ機構７０は、ポール部材３０をハンガレール１０に沿って壁面側Ｗ、つまり閉方向Ｆ２に走行させ切ることによって、他の操作を要することなく自動的にロックされる。このロック動作は、上下のラッチ金具６２，７２の斜面部分をストッパ金具６１，７１に衝突させてラッチ金具６２，７２をポール部材３０内に押し込む向きの分力を発生させながらストッパ金具６１，７１を通過させ、斜面の終了によってラッチ金具６２，７２が復帰する仕組みによって実現される（図３に示す状態）。
【００４１】
スクリーンシート５０に重着された弾発性プレート５２は、必然的にスクリーンシート５０と挙動を共にする（図４）。この結果、ポール部材３０が閉方向Ｆ２に操作されてスクリーンシート５０が展開方向Ｄ２に姿勢変化した際に、弾発性プレート５２の中間部分が付勢リブ３５によって押し曲げられるので（同図２点鎖線）、弾発性プレート５２には、スクリーンシート５０を折畳み方向Ｄ１に復帰させようとする反発力が発生し、この反発力は、スクリーンシート５０にポール部材３０を開方向Ｆ１に走行させようとする向きの張力として加わることとなる。なお、弾発性プレート５２の長さは、隣接するポール部材３０，４０の間隔の１／２を下回る長さに設定される必要がある（図１，図７）。１／２を上回ると正常な山折り部Ｍが形成されないからである。
【００４２】
上記のような構成による横引スクリーン装置は、締切り状態において、弾発性プレート５２のよってスクリーンシート５０を折畳み方向Ｄ１に状態変化させようとする力が常時作用し、この結果として、スクリーンシート５０に隣接するポール部材３０，４０を接近させようとする力、換言すれば、ポール部材３０を開方向Ｆ１に走行させようとする張力が付加されているため（図７（Ａ））、従来製品に比べ風の影響を受け難く、したがって、スクリーンシート５０の端正な吊設姿勢が極めて安定に維持されるという特徴が遺憾なく発揮される。
【００４３】
また、閉状態の横引スクリーン装置は、弾発性プレート５２の反発力を強めに設定することによって、下ラッチ機構７０を解除した際に一定範囲まで自動的に折畳まれるようにすることができる。つまり、操作ノブ７３を操作して下ラッチ機構７０を解除すると、ポール部材３０は、スクリーンシート５０に付与されている開方向Ｆ１の張力によって、上端部のランナ１２を中心として下端部を振るように傾斜する（図６）。
【００４４】
ポール部材３０がランナ１２を中心に傾斜すると上ラッチ機構６０のストッパ金具６１に掛合しているラッチ金具６２もランナ１２を中心に弧を描くように揺動し、傾斜が一定限度を超えると、ストッパ金具６１とラッチ金具６２との掛合が解除される（図６に示す状態）。上ラッチ機構６０および下ラッチ機構７０のアンロックによって、開方向Ｆ１の張力に対向する力が存在しなくなり、ポール部材３０に取り付けられた複数の弾発性プレート５２が、スクリーンシート５０の複数箇所において一気にスクリーンシート５０を折畳み方向Ｄ１に姿勢変化させ、スクリーンシート５０は、自動的に均等に折畳まれるのである（図７（Ｂ））。
【００４５】
また、弾発性プレート５２の反発力のみによっては、自動的に折畳まれない場合であっても、スクリーンシート５０の人為的な開操作を円滑かつ容易にすることができることは言うまでもなく、この際スクリーンシート５０の開操作部分のみが高密度に折り畳まれるような不具合の発生も皆無となり、極めて便利である。また、折畳んだ際のスクリーンシート５０の全ての山折り部Ｍ，Ｍ…は、横引スクリーン装置の外側ＯＳに突出する向きに形成されるので、保護対称である建物の壁面Ｗ１に近接させて省スペース内に設置することができる利点もある。
【図面の簡単な説明】
【００４６】
【図１】本発明の実施の形態を示す正面図である。
【図２】本発明の実施の形態を示す分解斜視図である。
【図３】本発明の実施の形態を示す一部破断拡大正面図である。
【図４】本発明の実施の形態を示す要部の拡大横断面図である。
【図５】本発明の実施の形態における要部の正面図および平面図である。
【図６】本発明の実施の形態における動作説明正面図である。
【図７】本発明の実施の形態における動作説明平面図である。
【符号の説明】
【００４７】
Ｕ          天井側
Ｆ          床側
Ｗ          壁面側  
Ｖ          谷折り部
ＯＳ        使用上の外側
Ｄ３        遊び揺動範囲
ＵＭ        ホルダ溝
１０        ハンガレール
１２        ランナ
２０        ガイドレール
３０        ポール部材
３２        端末棒  
４０        ポール部材
５０        スクリーンシート
５２        弾発性プレート
５Ｖ        Ｖ字溝
６０        上ラッチ機構
６１        ストッパ金具
６２        ラッチ金具
７０        下ラッチ機構
７１        ストッパ金具
７２        ラッチ金具
【要約】
【課題】  建物の壁面等に近接して設置可能であって、風圧による揺動やバタつきが少なく、開閉操作が容易であって、開操作後のスクリーンシートの折畳み姿が端正な横引スクリーン装置を提供する。
【解決手段】  スクリーンシート５０に、ポール部材３０を支点として、閉操作によってスクリーンシート５０を展開状態としたときにスクリーンシート５０を元の折畳み状態に復帰する向きに付勢される弾発性プレート５２，５２…を重着し、弾発性プレート５２，５２…によって展開状態のスクリーンシート５０に常時適切な張力を付与しておく。この結果、スクリーンシート５０は、風の影響を受け難く、しかも、開操作時には、僅かの操作力によってその全幅について均等な折畳み密度で規則正しく折畳まれる。
【選択図】  図７【図１】
0004217838.tif 000002
【図２】
0004217838.tif 000003
【図３】
0004217838.tif 000004
【図４】
0004217838.tif 000005
【図５】
0004217838.tif 000006
【図６】
0004217838.tif 000007
【図７】
0004217838.tif 000008